(57)【要約】【課題】介護者が被介護者を両脇に腕を通して抱きかかえる際の被介護者の痛みを軽減する介護用品を提供する。【解決手段】被介護者の脇の下および介護者の腕に介挿される弾性材からなる一対の介挿部材と、該一対の介挿部材の一端同士を結ぶ連結紐からなる構成とした。【選択図】図１
2010194273.tif 000002
【特許請求の範囲】
【請求項１】
被介護者の脇の下および介護者の腕に介挿される弾性材からなる一対の介挿部材と、該一対の介挿部材の一端同士を結ぶ連結紐からなる介護用補助具。
【請求項２】
前記介挿部材は介挿部本体と、該介挿部本体を被包する介挿カバーとからなる請求項１に記載の介護用補助具
【請求項３】
前記介挿部本体は、所定の大きさに整形されたスポンジ、袋体に収納された小片状のスポンジまたは袋体に収納された粒状の発泡スチロールからなる請求項２に記載の介護用補助具。
【請求項４】
前記介挿カバーはタオル地であり、前記連結紐は伸縮性のあるゴム紐からなる、請求項１ないし請求項３のいずれかに記載の介護用補助具。
【発明の詳細な説明】
【技術分野】
【０００１】  この発明は被介護者を立ち上がらせる際に両脇に腕を通して抱きかかえるときに腕が脇の下へ食い込む衝撃を抑えるための携帯可能な介護用品に関するものである。
【背景技術】
【０００２】  従来、介護者が被介護者を抱きかかえる際は何も付けずに行うか、あるいは、被介護者の脇の下にタオルを挟んだりしていたが、タオルを挟んでも効果はあまりなく、被介護者は痛みを我慢していた。
ところで、被介護者を抱きかかえるときに使用する介護用補助具としては、特許文献１の「両腕に掛け渡して使用する抱きかかえ補助具」がある。
【先行技術文献】
【特許文献】
【０００３】
【特許文献１】実用新案登録第３１４３７４４号公報
【発明の概要】
【発明が解決しようとする課題】
【０００４】  しかし、特許文献１の「両腕に掛け渡して使用する抱きかかえ補助具」は被介護者の腰掛体制での首や腰の痛みを緩和するものであり、抱きかかえる際に使うことはできない。
そこで、本発明は、介護者が被介護者を両脇に腕を通して抱きかかえる際の被介護者の痛みを軽減する介護用品を提供することを課題とする。
【課題を解決するための手段】
【０００５】  前記課題を解決するために、請求項１に記載の介護用補助具は、被介護者の脇の下および介護者の腕に介挿される、弾性材からなる一対の介挿部材と該一対の介挿部材の一端同士を結ぶ連結紐からなることを特徴としている。
そして、請求項２に記載の介護用補助具は、請求項１に記載の介護用補助具であって、前記介挿部材は介挿部本体と該介挿部本体を被包する介挿カバーとからなることを特徴としている。
そして、請求項３に記載の介護用補助具は、請求項２に記載の介護用補助具であって、前記介挿部本体は、スポンジ、袋体に収納された小片状のスポンジまたは袋体に収納された粒状の発砲スチロールからなることを特徴としている。
そして、請求項４に記載の介護用補助具は、請求項１ないし請求項３のいずれかに記載の介護用補助具であって、前記連結紐は、伸縮性のあるゴム紐からなることを特徴としている。
【発明の効果】
【０００６】  介挿部材に弾力性のあるスポンジにすることにより、腕が食い込む衝撃を抑え、タオル地の袋に入れることで肌触りを良くするとともに、脇の下の汗を吸収し滑りをなくし、更に、洗える素材であるため衛生的であり、ゴム紐で繋げることで引っ張られても伸縮性なので大事にいたらない。
使用時には介護者または被介護者の首に連結紐をまわし、垂れ下がった介挿部材を被介護者の両脇に装着し使用するため、介挿部材が落ちてしまうことがない。
また、携帯時には被介護者の首から吊るしたり、パンツのベルト部分にくくりつけるなどできる。
介挿部材本体をタオル地の袋体に収納するようにした場合には、吸収性に優れ、肌ざわりが良く、被介護者の不快感をなくすことができる。
【図面の簡単な説明】
【０００７】
【図１】実施例に係る介護用補助具の斜視図である。
【図２】図１におけるＩＩ−ＩＩ矢視断面図である。
【図３】実施例に係る介護用補助具の携帯した状態を示す図である。
【図４】実施例に係る介護用補助具の使用説明図である。
【発明を実施するための形態】
【０００８】  図１ないし図４に基づいて以下本発明の実施の形態を説明する。
【０００９】  介護用補助具１は１対の介挿部材１０と１対の介挿部材１０同士を結ぶ連結紐３０から構成されている。
【００１０】  介挿部材１０は、介挿部本体１１と介挿部本体１１を被包する介挿カバー１２とから構成されていて、介挿部本体１１は、所定の大きさに成形された円柱状のスポンジから構成されている。実施例では、介挿部本体１１の長さを１５ｃｍ〜２０ｃｍとし、直径を１０ｃｍ〜１５ｃｍとしている。なお、円柱状のスポンジに代えて、小片状のスポンジを布製の袋に収納し、または粒状の発砲スチロールを布製の袋に収納するようにしても良く、スポンジを円柱状とせずに多角柱状としあるいは楕円体としても良い。
【００１１】  介挿部材本体１１は、介挿カバー１２に収納されている。そして、介挿カバー１２はタオル地を袋状に形成したものであり、連結紐３０は介挿カバー１２に固着されている。介挿部材本体１１を介挿カバー１２に収納するようにしているため、使用している間に介挿部材１０が汚れた場合には、介挿カバー１２のみを外して洗濯することにより介挿部材１０を常に清潔に保つことができる。
【００１２】  １対の介挿部材１０の両端同士を結ぶ連結紐３０は、伸縮性があるゴム紐から構成されている。ゴム紐を使用することで、使用中に連結紐３０が引っ張られてもその衝撃を吸収することができる。なお、連結紐３０を布製としても構わない。
【００１３】  つぎに、介護用補助具１の使用方法例について説明する。
介護者４１または被介護者４２の首に連結紐３０をまわし、垂れ下がった介挿部材１０を被介護者４２の両脇に挿入し、介護者４１の腕を介挿部材１０の下からあてがい、被介護者４２をそのままもち上げることで、介護者４１の腕と被介護者４２の脇の間に介挿部材１０が挟まれるので直接触れることがないため、介護者４１の腕が被介護者４２の脇に食い込む衝撃を和らげることになる。
【００１４】  そして、介護用補助具１を使用しないときには、被介護者４２の首から吊るしたり、介護者４１のパンツのベルト部分にくくりつけたりして常に携帯することで、必要なときに直ちに使用することができる。
【符号の説明】
【００１５】１    介護用補助具
１０    介挿部材
１１    介挿部本体
１２    介挿カバー
３０    連結紐
【図１】
2010194273.tif 000003
【図２】
2010194273.tif 000004
【図３】
2010194273.tif 000005
【図４】
2010194273.tif 000006
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
被介護者の脇の下および介護者の腕に介挿される弾性材からなる一対の介挿部材と、該一対の介挿部材の一端同士を結ぶ連結紐からなり、前記介挿部材は介挿部本体と、該介挿部本体を被包する介挿カバーとからなり、前記介挿部本体は、被介護者の脇の下に介挿される大きさに整形されたスポンジ、被介護者の脇の下に介挿される大きさの袋体に収納された小片状のスポンジまたは被介護者の脇の下に介挿される大きさの袋体に収納された粒状の発泡スチロールからなり、前記介挿カバーはタオル地であり、前記連結紐は伸縮性のあるゴム紐からなる介護用補助具。
【手続補正２】
【補正対象書類名】明細書
【補正対象項目名】０００５
【補正方法】変更
【補正の内容】
【０００５】  前記課題を解決するために、請求項１に記載の介護用補助具は、被介護者の脇の下および介護者の腕に介挿される弾性材からなる一対の介挿部材と、該一対の介挿部材の一端同士を結ぶ連結紐からなり、前記介挿部材は介挿部本体と、該介挿部本体を被包する介挿カバーとからなり、前記介挿部本体は、被介護者の脇の下に介挿される大きさに整形されたスポンジ、被介護者の脇の下に介挿される大きさの袋体に収納された小片状のスポンジまたは被介護者の脇の下に介挿される大きさの袋体に収納された粒状の発泡スチロールからなり、前記介挿カバーはタオル地であり、前記連結紐は伸縮性のあるゴム紐からなることを特徴としている。